(57)【要約】【課題】  より確実に画像が表示されるまでの状態を通知することができるようにする。【解決手段】  出力部９３は、マイコン６５の制御の基に、メインプロセッサ９１から供給された映像信号を基に、画像をLCDパネル１１に表示させるか、または補助回路９２から供給されたOSD情報に応じた映像信号を基に、OSD画像をLCDパネル１１に表示させる。出力部９３は、メインプロセッサ９１が起動して、画像をLCDパネル１１に表示させることができるようになった場合、マイコン６５の制御の基に、LCDパネル１１に表示させる画像を、補助回路９２から供給されてくるOSD情報に応じた映像信号によるOSD画像から、メインプロセッサ９１から供給されてくる映像信号による画像に切り替えることにより、より確実に画像が表示されるまでの状態を通知できるようにする。本発明は、表示装置に適用できる。【選択図】  図３
2006186705.tif 000002
【特許請求の範囲】
【請求項１】
画像を画面に表示させる表示装置において、
外部から供給された信号を基に、第１の画像の前記画面への表示を制御する第１の表示制御手段と、
自分が起動中であることを示す画像である第２の画像の前記画面への表示を制御する第２の表示制御手段と、
前記第１の表示制御手段が起動中である場合、前記第２の画像を前記画面に表示させ、前記第１の表示制御手段の起動が完了したとき、前記第１の画像を前記画面に表示させるように、前記画面の表示を切り替える切り替え手段と
を備えることを特徴とする表示装置。
【請求項２】
予め記憶している、前記第１の表示制御手段の起動に必要な時間に基づいて、前記第２の画像を前記画面に表示させておく時間である表示時間を決定する決定手段と、
ユーザにより自分の電源が入れられてから前記表示時間が経過していない場合、前記第２の画像が前記画面に表示されるように前記切り替え手段を制御する切り替え制御手段と
を備え、
前記切り替え制御手段は、ユーザにより自分の電源が入れられてから前記表示時間が経過した場合、前記画面に表示されている前記第２の画像の代わりに、前記第１の画像が前記画面に表示されるように、前記切り替え手段を制御する
ことを特徴とする請求項１に記載の表示装置。
【請求項３】
計時する計時手段と、
計時の結果および前記表示時間に対応する前記第２の画像を生成する生成手段と
を備え、
前記切り替え制御手段は、前記表示時間および計時の結果を基に、生成した前記第２の画像または前記第１の画像が前記画面に表示されるように前記切り替え手段を制御する
ことを特徴とする請求項２に記載の表示装置。
【請求項４】
前記画面の表示が前記第２の画像から前記第１の画像に切り替える場合、前記第１の画像が表示されないように前記第１の表示制御手段の出力を抑制させるように、前記第１の表示制御手段を制御する出力制御手段を備える
ことを特徴とする請求項３に記載の表示装置。
【請求項５】
画像を画面に表示させる表示装置の表示方法において、
外部から供給された信号を基に、第１の画像の前記画面への表示を制御する第１の表示制御ステップと、
自分が起動中であることを示す画像である第２の画像の前記画面への表示を制御する第２の表示制御ステップと、
前記第１の表示制御ステップが起動中である場合、前記第２の画像を前記画面に表示させ、前記第１の表示制御ステップの起動が完了したとき、前記第１の画像を前記画面に表示させるように、前記画面の表示を切り替える切り替えステップと
を含むことを特徴とする表示方法。
【請求項６】
画像を画面に表示させる表示処理用のプログラムであって、
外部から供給された信号を基に、第１の画像の前記画面への表示を制御する第１の表示制御ステップと、
自分が起動中であることを示す画像である第２の画像の前記画面への表示を制御する第２の表示制御ステップと、
前記第１の表示制御ステップが起動中である場合、前記第２の画像を前記画面に表示させ、前記第１の表示制御ステップの起動が完了したとき、前記第１の画像を前記画面に表示させるように、前記画面の表示を切り替える切り替えステップと
を含むことを特徴とするコンピュータが読み取り可能なプログラムが記録されている記録媒体。
【請求項７】
画像を画面に表示させる表示装置のコンピュータに、表示処理を行わせるプログラムにおいて、
外部から供給された信号を基に、第１の画像の前記画面への表示を制御する第１の表示制御ステップと、
自分が起動中であることを示す画像である第２の画像の前記画面への表示を制御する第２の表示制御ステップと、
前記第１の表示制御ステップが起動中である場合、前記第２の画像を前記画面に表示させ、前記第１の表示制御ステップの起動が完了したとき、前記第１の画像を前記画面に表示させるように、前記画面の表示を切り替える切り替えステップと
を含むことを特徴とするプログラム。
【発明の詳細な説明】
【技術分野】
【０００１】
本発明は表示装置および方法、記録媒体、並びにプログラムに関し、特に、ユーザに対して、画像が表示されるまでの状態を通知することができるようにした表示装置および方法、記録媒体、並びにプログラムに関する。
【背景技術】
【０００２】
近年、LCD（Liquid Crystal Display）やPDP（Plasma Display Panel）などによる、いわゆる薄型ディスプレイが普及している。これらの薄型ディスプレイには、CRT（Cathode Ray Tube）ディスプレイと比較して、軽量で省スペースであるので、設置場所に制約されることが少なくなるなどの利点がある。
【０００３】
また、薄型ディスプレイでは、CRTディスプレイとは異なり予熱が不要となるため、ユーザが電源をオンしたと同時に画面を表示させることができる。
【０００４】
従来、複数の映像の静止画を記憶する記憶装置を設け、チャンネル切り換え時おいて、実際に放送が出画するまでに、記憶していた画像を表示させることで、スムーズにチャンネルの切り替えを行うようにしているテレビジョン受像器がある（例えば、特許文献１参照）。
【０００５】
また、映像の再生を行っているとき、黒画面（所定の画面）にさせる映像信号が生成されていることを検出し、再生を行っている場合に黒画面にさせる映像信号が生成されていると検出されたときに、所定の挿入画面と挿入信号のいずれか、またはその組み合わせを外部のテレビジョン（モニタ）に出力させる信号を生成することで、ストリームデータに基づく映像が出力されるまでの間に、所定の挿入画面や挿入信号を外部のテレビジョンから出力されるようにしている映像再生装置がある（例えば、特許文献２参照）。
【０００６】
さらに、電源をオンしたときに、予め記憶しておいた番組情報を基に、番組表を生成し、生成した番組表をOSD表示させるデジタル放送受信装置がある（例えば、特許文献３参照）。
【特許文献１】特開２０００−４１１９７号公報
【特許文献２】実用新案登録第３０９００５６号
【特許文献３】特開２００３−１６３８５４号公報
【発明の開示】
【発明が解決しようとする課題】
【０００７】
しかしながら、表示デバイスそのものは、即座に画像を表示できるが、映像信号をデジタル処理するようにすると、この処理を行うためのプロセッサを初期化（イニシャライズ）するために（起動が完了するまでに）時間を要するため、ユーザが電源をオンにしてから、画面に画像が表示されるまでにある一定の時間がかかってしまうという問題があった。
【０００８】
通常、表示装置の電源がオンしている場合、パイロットランプとしての緑色LEDが発光している。ユーザが電源をオンし、表示装置を起動させた場合、パイロットランプが点灯しているにもかかわらず、一定の時間、画面に画像が表示されないので、ユーザは、表示装置が故障していると勘違いするおそれがあった。
【０００９】
一方、表示デバイスが故障し、パイロットランプが点灯していても、画面に画像が表示されないこともある。すなわち、ユーザにとって、起動において、表示装置が故障しているか否かを判断することは困難であった。この問題を解決するために、表示装置の電源をオンした場合、即座に何かの画面を表示させることが考えられる。
【００１０】
例えば、特開２０００−４１１９７号公報に開示されているテレビジョン受像器は、予め、静止画を記憶しておき、画像が表示されるまでに時間がかかる場合、記憶していた静止画を表示させることで、チャンネルの切り替えを行うものであるが、ユーザが電源をオンにした後、画面に画像が表示されるまでの間に、記憶していた静止画を表示させることができなかった。
【００１１】
また、例えば、実用新案登録第３０９００５６号に開示されている映像再生装置も同様に、ユーザが電源をオンにした後、画面に画像が表示されるまでの間に、所定の挿入画面と挿入信号のいずれか、またはその組み合わせによる画像を表示させることができなかった。
【００１２】
さらに、例えば、特開２００３−１６３８５４号公報に開示されているデジタル放送受信装置は、ユーザが電源をオンしたときに、予め記憶していた番組情報から、番組表を生成してOSD表示させるものであるが、番組表を画面に表示させるのみで、画像が表示されるまでの正確な情報を表示させることができなかった。
【００１３】
本発明はこのような状況に鑑みてなされたものであり、ユーザが電源をオンにした場合、即座に、所定の画像を画面に表示させることができるようにするものである。
【課題を解決するための手段】
【００１４】
本発明の表示装置は、外部から供給された信号を基に、第１の画像の画面への表示を制御する第１の表示制御手段と、自分が起動中であることを示す画像である第２の画像の画面への表示を制御する第２の表示制御手段と、第１の表示制御手段が起動中である場合、第２の画像を画面に表示させ、第１の表示制御手段の起動が完了したとき、第１の画像を画面に表示させるように、画面の表示を切り替える切り替え手段とを備えることを特徴とする。
【００１５】
本発明の表示装置は、予め記憶している、第１の表示制御手段の起動に必要な時間に基づいて、第２の画像を画面に表示させておく時間である表示時間を決定する決定手段と、ユーザにより自分の電源が入れられてから表示時間が経過していない場合、第２の画像が画面に表示されるように切り替え手段を制御する切り替え制御手段とを備え、切り替え制御手段は、ユーザにより自分の電源が入れられてから表示時間が経過した場合、画面に表示されている第２の画像の代わりに、第１の画像が画面に表示されるように、切り替え手段を制御することを特徴とする。
【００１６】
本発明の表示装置は、計時する計時手段と、計時の結果および表示時間に対応する第２の画像を生成する生成手段とを備え、切り替え制御手段は、表示時間および計時の結果を基に、生成した第２の画像または第１の画像が画面に表示されるように切り替え手段を制御することを特徴とする。
【００１７】
本発明の表示装置は、画面の表示が第２の画像から第１の画像に切り替える場合、第１の画像が表示されないように第１の表示制御手段の出力を抑制させるように、第１の表示制御手段を制御する出力制御手段を備えることを特徴とする。
【００１８】
本発明の表示方法は、外部から供給された信号を基に、第１の画像の画面への表示を制御する第１の表示制御ステップと、自分が起動中であることを示す画像である第２の画像の画面への表示を制御する第２の表示制御ステップと、第１の表示制御ステップが起動中である場合、第２の画像を画面に表示させ、第１の表示制御ステップの起動が完了したとき、第１の画像を画面に表示させるように、画面の表示を切り替える切り替えステップとを含むことを特徴とする。
【００１９】
本発明の記録媒体のプログラムは、外部から供給された信号を基に、第１の画像の画面への表示を制御する第１の表示制御ステップと、自分が起動中であることを示す画像である第２の画像の画面への表示を制御する第２の表示制御ステップと、第１の表示制御ステップが起動中である場合、第２の画像を画面に表示させ、第１の表示制御ステップの起動が完了したとき、第１の画像を画面に表示させるように、画面の表示を切り替える切り替えステップとを含むことを特徴とする。
【００２０】
本発明のプログラムは、外部から供給された信号を基に、第１の画像の画面への表示を制御する第１の表示制御ステップと、自分が起動中であることを示す画像である第２の画像の画面への表示を制御する第２の表示制御ステップと、第１の表示制御ステップが起動中である場合、第２の画像を画面に表示させ、第１の表示制御ステップの起動が完了したとき、第１の画像を画面に表示させるように、画面の表示を切り替える切り替えステップとを含むことを特徴とする。
【００２１】
本発明の表示装置および方法、記録媒体、並びにプログラムにおいては、外部から供給された信号を基に、第１の画像の画面への表示を制御し、自分が起動中であることを示す画像である第２の画像の画面への表示を制御し、第２の画像から第１の画像を画面に表示させるように、画面の表示を切り替える。
【発明の効果】
【００２２】
本発明によれば、自分の状態を示す画像を表示することができる。また、本発明によれば、ユーザが電源をオンした場合、即座に、所定の画像を画面に表示させることができる。これにより、ユーザは、画像が画面に表示されるまでの間、所定の画面を認識することで、画像が画面に表示されるまでの待機時間を長く感じることがなくなるとともに、正常に動作していることも認識できるので、故障している場合でも、瞬時に認識して対応することができる。
【発明を実施するための最良の形態】
【００２３】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応していないものであることを意味するものではない。
【００２４】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００２５】
本発明によれば、表示装置が提供される。この表示装置（例えば、図１の薄型ディスプレイ１）は、外部から供給された信号を基に、第１の画像の画面への表示を制御する第１の表示制御手段（例えば、図３のメインプロセッサ９１）と、自分が起動中であることを示す画像である第２の画像の画面への表示を制御する第２の表示制御手段（例えば、図３の補助回路９２）と、第１の表示制御手段が起動中である場合、第２の画像を画面に表示させ、第１の表示制御手段の起動が完了したとき、第１の画像を画面に表示させるように、画面の表示を切り替える切り替え手段（例えば、図３の出力部９３）とを備える。
【００２６】
この表示装置は、予め記憶している、第１の表示制御手段の起動に必要な時間に基づいて、第２の画像を画面に表示させておく時間である表示時間を決定する決定手段（例えば、図４の起動時間決定部１１１）と、ユーザにより自分の電源が入れられてから表示時間が経過していない場合、第２の画像が画面に表示されるように切り替え手段を制御する切り替え制御手段（例えば、図４の表示切り替え制御部１１３）とを備え、切り替え制御手段は、ユーザにより自分の電源が入れられてから表示時間が経過した場合、画面に表示されている第２の画像の代わりに、第１の画像が画面に表示されるように、切り替え手段を制御することができる。
【００２７】
この表示装置は、計時する計時手段（例えば、図４のカウンタ１１２）と、計時の結果および表示時間に対応する第２の画像を生成する生成手段（例えば、図３のOSD生成部６８）とを備え、切り替え制御手段は、表示時間および計時の結果を基に、生成した第２の画像または第１の画像が画面に表示されるように切り替え手段を制御することができる。
【００２８】
この表示装置は、画面の表示が第２の画像から第１の画像に切り替える場合、第１の画像が表示されないように第１の表示制御手段の出力を抑制させるように、第１の表示制御手段を制御する出力制御手段（例えば、図４の映像出力制御部１１４）を備える。
【００２９】
本発明によれば、表示方法が提供される。この表示方法は、外部から供給された信号を基に、第１の画像の画面への表示を制御する第１の表示制御ステップ（例えば、図５のステップＳ４の処理）と、自分が起動中であることを示す画像である第２の画像の画面への表示を制御する第２の表示制御ステップ（例えば、図５のステップＳ１の処理）と、第１の表示制御ステップが起動中である場合、第２の画像を画面に表示させ、第１の表示制御ステップの起動が完了したとき、第１の画像を画面に表示させるように、画面の表示を切り替える切り替えステップ（例えば、図５のステップＳ３の処理）とを含む。
【００３０】
本発明によれば、プログラムが提供される。このプログラムは、外部から供給された信号を基に、第１の画像の画面への表示を制御する第１の表示制御ステップ（例えば、図５のステップＳ４の処理）と、自分が起動中であることを示す画像である第２の画像の画面への表示を制御する第２の表示制御ステップ（例えば、図５のステップＳ１の処理）と、第１の表示制御ステップが起動中である場合、第２の画像を画面に表示させ、第１の表示制御ステップの起動が完了したとき、第１の画像を画面に表示させるように、画面の表示を切り替える切り替えステップ（例えば、図５のステップＳ３の処理）とを実行させる。
【００３１】
このプログラムは、記憶媒体（例えば、図１０の磁気ディスク１８１）に記憶することができる。
【００３２】
以下、図面を参照しながら本発明の実施の形態について説明する。
【００３３】
図１は、薄型ディスプレイ１の外観を示す図である。薄型ディスプレイ１は、例えば、LCDやPDPなどから構成される薄型テレビジョン受像機（いわゆる薄型テレビ）や、テレビチューナの機能を備えたパーソナルコンピュータなどであり、本発明の表示装置の一例である。
【００３４】
LCDパネル１１は、外部から供給された信号または薄型ディスプレイ１内部で生成された信号を基に、画像を表示する。なお、LCDパネル１１の詳細は、後述する。スピーカ１２−１およびスピーカ１２−２は、外部から供給された信号を基に、音声を出力する。スタンド１３は、LCDパネル１１、並びにスピーカ１２−１およびスピーカ１２−２の向きが一定になるように向きを保持する。
【００３５】
電源ボタン１４は、薄型ディスプレイ１の電源をオンまたはオフするためのボタンである。電源LED（Light Emitting Diode）（パイロットランプ）１５は、例えば、ユーザの操作により、電源ボタン１４が押されて、薄型ディスプレイ１の電源がオンとなった場合、緑色に点灯し、それに対して、薄型ディスプレイ１の電源がオフとなった場合、消灯する。なお、電源LED１５は、ユーザによるリモートコントローラ（以下、リモコンと称する）（図示せず）の操作によって、薄型ディスプレイ１の電源が切られた場合、薄型ディスプレイ１がスタンバイ（サスペンド）またはスリープ状態となるので、赤色に点灯する。
【００３６】
チャンネルボタン１６は、ユーザの操作に応じて、選局する番組チャンネルを変更するためのボタンである。ボリュームボタン１７は、ユーザの操作に応じて、スピーカ１２−１およびスピーカ１２−２から出力される音声の音量を変更するためのボタンである。
【００３７】
なお、上述した電源ボタン１４、チャンネルボタン１６、およびボリュームボタン１７の操作は、ユーザによるリモコン（図示せず）の操作に相当する操作によっても実行することが可能である。
【００３８】
図２は、本発明を適用した薄型ディスプレイ１の一実施の形態を示すブロック図である。
【００３９】
薄型ディスプレイ１は、LCDパネル１１、チューナ６１、入力切り替え部６２、外部AV（Audio Visual）入力部６３−１、外部AV入力部６３−２、画像処理部６４、マイクロコンピュータ（以下、マイコンと称する）６５、ROM（Read Only Memory）６６、RAM（Random Access Memory）６７、OSD生成部６８、およびバックライト６９を含むように構成される。
【００４０】
チューナ６１は、ユーザの操作に応じた受信する放送局の指定に従って、アンテナ５１より受信された地上波や放送衛星からの電波などのテレビジョン放送の放送電波に対応する放送信号であって、アンテナ５１から供給された放送信号を復調し、復調して得られた映像信号を入力切り替え部６２に供給する。
【００４１】
なお、チューナ６１は、復調して得られた音声信号を音声処理部（図示せず）に供給する。そして、音声処理部は、チューナ６１から供給された音声信号を基に、音声をスピーカ１２−１およびスピーカ１２−２（図１）から出力させる。
【００４２】
外部AV入力部６３−１は、いわゆるピン入力の接続端子などのインタフェースであり、接続されているアナログの映像信号を出力する外部機器５２−１（例えば、ビデオテープレコーダなど）から供給される映像信号を入力切り替え部６２に供給する。
【００４３】
なお、外部AV入力部６３−１が、外部機器５２−１から供給される音声信号を音声処理部（図示せず）に供給することで、音声処理部は、外部AV入力部６３−１から供給される音声信号を基に、音声をスピーカ１２−１およびスピーカ１２−２から出力させる。
【００４４】
入力切り替え部６２は、薄型ディスプレイ１の各部を制御するマイコン６５の制御を基に、チューナ６１から供給された映像信号、および外部AV入力部６３−１から供給された映像信号のうち、いずれか一方の映像信号のみを選択し、選択した映像信号を画像処理部６４に供給する。
【００４５】
画像処理部６４は、入力切り替え部６２から供給された映像信号をLCDパネル１１に表示させるための映像信号に変換し、変換した映像信号を基に、画像をLCDパネル１１に表示させる。
【００４６】
画像処理部６４は、A/D（Analog/Digital）変換部８１、スイッチ８２、ビデオプロセッサ８３、ROM８４、およびRAM８５を含むように構成される。
【００４７】
A/D変換部８１は、入力切り替え部６２から供給されたアナログ信号である映像信号をデジタル信号である映像信号に変換する。A/D変換部８１は、変換により生成されたデジタル信号である映像信号をスイッチ８２に供給する。
【００４８】
外部AV入力部６３−２は、いわゆる接続インタフェースであり、デジタル信号である映像信号を出力する外部機器５２−２（例えば、DVD（Digital Versatile Disk）レコーダなど）から供給される映像信号をスイッチ８２に供給する。
【００４９】
なお、外部AV入力部６３−２が、外部AV入力部６３−１と同様に、外部機器５２−２から供給される音声信号を音声処理部（図示せず）に供給することで、音声処理部は、外部AV入力部６３−２から供給される音声信号を基に、音声をスピーカ１２−１およびスピーカ１２−２から出力させる。
【００５０】
スイッチ８２は、マイコン６５の制御の基に、A/D変換部８１から供給された映像信号、および外部AV入力部６３−２から供給された映像信号のうち、いずれか一方の映像信号を選択し、選択した映像信号をビデオプロセッサ８３に供給する。
【００５１】
ビデオプロセッサ８３は、マイコン６５の制御の基に、スイッチ８２から供給された映像信号に、解像度を変更する処理や色合いを変更する処理などの、LCDパネル１１の表示に適した所定の処理を適用した後、処理を適用した映像信号をLCDパネル１１に供給し、LCDパネル１１に画像を表示させる。また、ビデオプロセッサ８３は、OSD生成部６８から供給された、各種の設定値などをLCDパネル１１にOSDにより表示させるための情報（以下、OSD情報と称する）を映像信号に重畳させて、OSD情報が重畳された映像信号をLCDパネル１１に供給し、LCDパネル１１にOSD情報が重畳された画像を表示させる。
【００５２】
さらに、ビデオプロセッサ８３は、必要に応じて、ROM８４に記録されているプログラムを読み込み、実行する。ビデオプロセッサ８３は、必要に応じて、データをRAM８５に供給したり、RAM８５が一時的に記憶しているデータを取得する。例えば、ビデオプロセッサ８３は、RAM８５に、一時的に記憶された映像信号に対して、所定の処理を適用することで、LCDパネル１１に表示させるための映像信号を生成する。
【００５３】
マイコン６５は、薄型ディスプレイ１の各部を制御する。
【００５４】
マイコン６５は、必要に応じて、ROM６６に記録されているプログラムを読み込み、実行する。マイコン６５は、必要に応じて、データをRAM６７に供給したり、RAM６７が一時的に記憶しているデータを取得する。
【００５５】
OSD生成部６８は、マイコン６５の制御の基に、各種の設定値などをLCDパネル１１にOSDにより表示させるためのOSD情報を生成し、生成したOSD情報をビデオプロセッサ８３に供給する。
【００５６】
LCDパネル１１は、バックライト６９から照射される光を、ビデオプロセッサ８３から供給された映像信号に応じて透過させることにより画像を表示する。
【００５７】
バックライト６９は、冷陰極管またはLEDなどからなる、いわゆる照明装置である。バックライト６９は、マイコン６５に制御されるインバータまたはコンバータ（図示せず）に駆動されて、LCDパネル１１のユーザによって見られる側の後ろ側から、液晶に光を照射する（液晶の後ろ側を照らす）。すなわち、インバータまたはコンバータから供給される電源の出力を変化させることにより、バックライト６９の輝度が変化し、これにより、LCDパネル１１の輝度が変化することになる。
【００５８】
なお、チューナ６１は、例えば、地上アナログ放送、地上デジタル放送、BS（Broadcasting Satellite）/CS（Communications Satellite）デジタル放送などの、アンテナ５１が受信する各種の放送電波に対応して、放送電波を放送信号に復調する機能を備えるようにすることができる。
【００５９】
また、外部機器５２−１と外部機器５２−２は、薄型ディスプレイ１に接続される機器の一例であり、上述した例の他にも、例えば、HDD（Hard Disk Drive）レコーダ、パーソナルコンピュータ、テレビゲーム機などのデジタルまたはアナログの映像信号を出力する機器であればいずれであってもよい。さらに、図２においては、外部機器５２−１と外部機器５２−２の２つの外部機器から構成されているが、３つ以上の外部機器を接続することは勿論、ゼロまたは１つの外部機器を接続するようにしてもよい。
【００６０】
図３は、ビデオプロセッサ８３の詳細を説明するブロック図である。図２に示す場合と同様の部分には、同一の符号が付してあり、その説明は適宜省略する。
【００６１】
ビデオプロセッサ８３は、メインプロセッサ９１、補助回路９２、および出力部９３を含むように構成される。
【００６２】
メインプロセッサ９１は、スイッチ８２から供給された映像信号に、LCDパネル１１に表示させるための所定の処理を適用した後、処理を適用した映像信号を出力部９３に供給して、LCDパネル１１に画像を表示させる。
【００６３】
補助回路９２は、OSD生成部６８から供給された薄型ディスプレイ１が起動中であることを示すOSD情報を基に映像信号を生成し、出力部９３を介して、映像信号をLCDパネル１１に供給し、LCDパネル１１にOSD情報に応じた画像（以下、OSD画像と称する）を表示させる。すなわち、補助回路９２は、薄型ディスプレイ１が起動中であることを示す画像のLCDパネル１１への表示を制御する。
【００６４】
出力部９３は、マイコン６５の制御に従って、メインプロセッサ９１から供給されてくる映像信号を基に、画像をLCDパネル１１に表示させるか、または補助回路９２から供給されてくるOSD情報に応じた映像信号を基に、OSD画像をLCDパネル１１に表示させる。また、出力部９３は、マイコン６５の制御に従って、LCDパネル１１に表示させる画像を、補助回路９２から供給されてくるOSD画像から、メインプロセッサ９１から供給されてくる画像に切り替える。
【００６５】
すなわち、出力部９３は、マイコン６５の制御の基に、メインプロセッサ９１からの映像信号または補助回路９２からの映像信号のいずれか一方をLCDパネル１１に供給する。
【００６６】
図４は、マイコン６５において実行される制御プログラム１０１の構成を示すブロック図である。
【００６７】
制御プログラム１０１は、例えば、ROM６６に記憶される。または、制御プログラム１０１は、ROM６６からRAM６７に適宜記憶されて、マイコン６５により実行される。制御プログラム１０１は、起動時間決定部１１１、カウンタ１１２、表示切り替え制御部１１３、および映像出力制御部１１４を含むように構成される。
【００６８】
起動時間決定部１１１は、ROM６６に記憶されている処理モードに対応した起動時間を読み出して、読み出した起動時間をカウンタ１１２にセットする。起動時間決定部１１１は、カウンタ１１２にセットされた起動時間をOSD生成部６８に供給する。
【００６９】
ここで、処理モードとは、チューナ６１、薄型ディスプレイ１に接続された装置（例えば、外部機器５２−１、外部機器５２−２など）から供給されてくる映像信号に応じて、薄型ディスプレイ１が実行するそれぞれの処理の方式をいう。
【００７０】
具体的には、薄型ディスプレイ１は、例えば、チューナ６１などを介して、アンテナ５１より受信された地上波や放送衛星からの電波などのテレビジョン放送の放送電波を基に、画像をLCDパネル１１に表示させたり（以下、単に、チューナ信号モードと称する）、アナログの映像信号を出力する外部機器５２−１から供給される映像信号を基に、画像をLCDパネル１１に表示させたり（以下、単に、アナログ映像信号モードと称する）、デジタルの映像信号を出力する外部機器５２−２から供給される映像信号を基に、画像をLCDパネル１１に表示させたり（以下、単に、デジタル映像信号モードと称する）する。すなわち、映像信号が複数の方法によって供給されてくるので、薄型ディスプレイ１は、それに応じた処理を実行する。
【００７１】
また、起動時間とは、ユーザが薄型ディスプレイ１の電源をオンにしてから、薄型ディスプレイ１の各部が起動を完了するまでの時間である。例えば、デジタル映像信号モードにおける起動時間は、メインプロセッサ９１が起動を完了するまでの時間、すなわち、メインプロセッサ９１が起動の途中（起動中）の状態にある期間を示す時間である。換言すれば、ユーザが薄型ディスプレイ１の電源をオンにしてから、出力部９３が、メインプロセッサ９１からの映像信号を基に、画像をLCDパネル１１に表示させるまでの時間であるとも言える。
【００７２】
さらに、上述したように、ビデオプロセッサ８３に供給される映像信号は、例えば、チューナ信号モード、アナログ映像信号モード、またはデジタル映像信号モードなどの処理モードによって、それぞれ使用しているデバイスが異なるために、起動時間も異なることがある。すなわち、処理モードが異なることで、起動時間が同一とならない場合がある。そこで、各処理モードに対応した起動時間を設定することで、使用しているデバイスが異なるために、起動時間が同一とならない場合であっても、最適な起動時間を選択できるようになる。
【００７３】
例えば、チューナ信号モードにおける起動時間は、メインプロセッサ９１が起動を完了するまでの時間およびチューナ６１が起動を完了するまでの時間のうち長い方の時間に等しい。
【００７４】
なお、これらの起動時間は、例えば、各デバイスの立ち上がり時間（起動するまでの時間）をモード毎に事前に実測することで、工場出荷時設定として予め設定されて、ROM６６に記憶されている。具体的には、例えば、ROM６６には、チューナ信号モードに対して、“１０秒”である起動時間が記憶され、アナログ映像信号モードに対して、“１２秒”である起動時間が記憶され、デジタル映像信号モードに対して、“８秒”である起動時間が記憶されている。
【００７５】
また、この起動時間に、ユーザが薄型ディスプレイ１の電源をオンにしてから、出力部９３が、補助回路９２からのOSD情報を基に、OSD画像をLCDパネル１１に表示させるまでの時間を考慮することも可能である。例えば、出力部９３が、補助回路９２からのOSD情報を基に、画像をLCDパネル１１に表示させるまでに１秒かかる場合、予め、ROM６６に記憶されている起動時間から、１秒減じておくことにより、より正確な起動時間を記憶させておくこともできる。
【００７６】
カウンタ１１２は、自分にセットされている値を、時間の経過に応じて、１秒ごとに減じることで、ユーザが薄型ディスプレイ１の電源をオンにしてから、出力部９３がメインプロセッサ９１からの映像信号を基に、画像をLCDパネル１１に表示させるまでの時間を計時する。
【００７７】
表示切り替え制御部１１３は、出力部９３を制御して、補助回路９２から供給されてくるOSD情報に応じた映像信号を基に、OSD画像をLCDパネル１１に表示させる。また、表示切り替え制御部１１３は、出力部９３を制御して、LCDパネル１１に表示させる画像を、補助回路９２から供給されてくる映像信号によるOSD画像から、メインプロセッサ９１から供給されてくる映像信号による画像に切り替えさせる。
【００７８】
映像出力制御部１１４は、ノイズの発生を防ぐために、出力部９３に映像信号を切り替えさせるとき、メインプロセッサ９１から映像信号が出力されないように制御する（ミュートをかける）か、またはミュートを解除して、メインプロセッサ９１から映像信号が出力されるように制御する。
【００７９】
ところで、上述したように、薄型ディスプレイ１では、映像信号をデジタル処理しているため、ユーザが電源をオンにしてから、メインプロセッサ９１がLCDパネル１１に画像を表示させるまでにある一定の時間が必要となる。
【００８０】
そこで、本発明においては、ビデオプロセッサ８３に、画像処理を実行するメインプロセッサ９１の他に補助回路９２を設けることにより、メインプロセッサ９１がLCDパネル１１に画像を表示させるまでの間、補助回路９２がLCDパネル１１に起動中であることを示す画像を表示させるようにしている。以下、図５のフローチャートを参照して、その処理の詳細であるビデオプロセッサ８３による表示制御の処理を説明し、その後、図６乃至図９を参照して、より具体的な例として、LCDパネル１１に画像が表示されるまでの残り時間を表示させる処理について説明する。
【００８１】
まず、図５のフローチャートを参照して、薄型ディスプレイ１による表示制御の処理について説明する。
【００８２】
ステップＳ１において、補助回路９２は、例えば、ユーザにより、薄型ディスプレイ１の電源ボタン１４が押された場合、画像が表示されるまで時間がかかることを示す画像（以下、待機画像と称する）の映像信号を出力部９３に供給する。出力部９３は、補助回路９２からの映像信号をLCDパネル１１に供給し、待機画像をLCDパネル１１に表示させる。
【００８３】
例えば、ステップＳ１において、補助回路９２は、ユーザにより、薄型ディスプレイ１の電源ボタン１４が押された場合、OSD生成部６８から供給されるOSD情報に応じた映像信号を出力部９３に供給し、出力部９３を介して、LCDパネル１１に映像信号を供給することにより、OSD画像をLCDパネル１１に表示させる。
【００８４】
ステップＳ２において、マイコン６５は、メインプロセッサ９１から供給されてくる、メインプロセッサ９１が映像信号を供給することができるようになったことを示す信号（以下、フラグと称する）を基に、メインプロセッサ９１が起動したか否かを判定する。
【００８５】
ステップＳ２において、メインプロセッサ９１が起動していないと判定された場合、ステップＳ１に戻り、上述した処理を繰り返す。すなわち、メインプロセッサ９１が起動するまで、LCDパネル１１には、待機画像が表示されることになる。
【００８６】
一方、ステップＳ２において、フラグが供給されることで、メインプロセッサ９１が起動したと判定された場合、ステップＳ３に進み、出力部９３は、マイコン６５の制御の基に、LCDパネル１１に出力する画像を、補助回路９２から供給されてくる映像信号による待機画像から、メインプロセッサ９１から供給されてくる映像信号による画像に切り替える。
【００８７】
ステップＳ４において、メインプロセッサ９１は、スイッチ８２から供給された映像信号に、LCDパネル１１に表示させるための所定の処理を適用した後、処理を適用した映像信号を出力部９３に供給し、出力部９３を介して、LCDパネル１１に映像信号を供給することにより、画像をLCDパネル１１に表示させて、処理は終了する。
【００８８】
このように、メインプロセッサ９１が起動して映像信号を出力するまでの間、補助回路９２が待機画像のデータを出力してLCDパネル１１に待機画像を表示させるので、ユーザは、画像が表示されるまでの待機時間を長く感じることがなくなるとともに、薄型ディスプレイ１が正常に動作していることも認識できるので、故障している場合でも、瞬時に認識して対応することができる。
【００８９】
次に、より具体的な例として、LCDパネル１１に画像が表示されるまでの残り時間をOSDにより表示させる処理について説明する。まず、図６のタイミングチャートを参照して、薄型ディスプレイ１の動作を説明し、その後、図７のフローチャートを参照して、カウントダウン表示制御の処理について説明する。
【００９０】
図６は、薄型ディスプレイ１の動作を説明するタイミングチャートである。
【００９１】
図６には、図中上から順に、薄型ディスプレイ１の電源の状態を示すタイミングチャート、補助回路９２のOSD情報に応じた映像信号の出力を示すタイミングチャート、およびメインプロセッサ９１の映像信号の出力を示すタイミングチャートが示されている。また、図中の水平方向は、時間軸を表しており、図中の下側の矢印に示されるように、時間は、図中左から右に向かって経過する。
【００９２】
また、図６で示される例において、時間T1（時刻taから時刻tbまでの時間）は、ユーザが薄型ディスプレイ１の電源をオンさせてから、ビデオプロセッサ８３の補助回路９２が起動して、OSD画像をLCDパネル１１に表示させるまでの時間を示し、時間T2（時刻taから時刻tcまでの時間）は、ユーザが薄型ディスプレイ１の電源をオンさせてから、ビデオプロセッサ８３のメインプロセッサ９１が起動して、画像をLCDパネル１１に表示させるまでの時間を示す。さらに、時間T3（時刻tbから時刻tcまでの時間）は、補助回路９２がOSD画像をLCDパネル１１に表示させている時間を示す。
【００９３】
OSD生成部６８は、時刻tcまでの時間を示すOSD情報を補助回路９２に供給する。補助回路９２は、時刻tcまでの時間を表示する映像信号を生成する。すなわち、時間T3は、OSD情報によって最初にLCDパネル１１に表示される数字に相当する。
【００９４】
図６に示されるように、例えば、いま、時刻taに、例えば、ユーザにより、薄型ディスプレイ１の電源ボタン１４が押されることで、電源のレベルがローレベル（以下、単に「L」と称する）からハイレベル（以下、単に「H」と称する）に変化した（電源の供給が開始された）とする。
【００９５】
このとき、補助回路９２は、OSD情報に応じた映像信号を出力部９３に出力していないので、出力のレベルは、「L」のままとなり、またメインプロセッサ９１も、映像信号を出力していないので、出力のレベルは「L」のままとなる。
【００９６】
なお、以下、薄型ディスプレイ１の電源がオンである状態について説明するので、電源のレベルは、「H」のままとなる。
【００９７】
時刻tb（時刻taから時間T1経過後）において、補助回路９２が、OSD情報を表示することができるようになったので、補助回路９２の出力のレベルは、「L」から「H」に変化する。すなわち、補助回路９２は、OSD生成部６８から供給されたOSD情報に応じた映像新信号を基に、出力部９３を介して、OSD画像をLCDパネル１１に表示させる。
【００９８】
このとき、メインプロセッサ９１は、映像信号を出力していないので、出力のレベルは「L」のままとなる。
【００９９】
時刻tbから時刻tcまでの間、補助回路９２は、OSD情報に応じた映像信号を出力部９３に出力し続けているので、補助回路９２の出力のレベルは、「H」のままとなる。すなわち、この間、LCDパネル１１には、OSD画像が表示されることとなり、さらに、OSD画像として表示されている数字は、１秒ごとに減少していく。
【０１００】
このとき、メインプロセッサ９１は、映像信号を出力していないので、出力のレベルは「L」のままとなる。
【０１０１】
時刻tc（時刻tbから時間T3経過後）において、メインプロセッサ９１は、映像信号をデジタル処理するための初期化（イニシャライズ）する処理などが終了して、映像信号を出力することができるようになったので、メインプロセッサ９１の出力のレベルは、「L」から「H」に変化する。また、それにともない、補助回路９２は、OSD画像をLCDパネル１１に表示させる必要がないので、補助回路９２の出力のレベルは、「H」から「L」に変化する。
【０１０２】
すなわち、LCDパネル１１には、補助回路９２から出力されてくるOSD情報に応じた映像信号によるOSD画像に代わって、メインプロセッサ９１から出力されてくる映像信号による画像が表示されることとなる。換言すれば、出力部９３は、LCDパネル１１に表示させる画像を、補助回路９２から供給されてくるOSD画像から、メインプロセッサ９１から供給されてくる画像に切り替える。
【０１０３】
なお、時刻tcにおいて、LCDパネル１１に表示される画像を、補助回路９２が出力するOSD画像から、メインプロセッサ９１が出力する画像にそのまま切り替えると、ノイズが発生するので、そのとき、マイコン６５は、LCDパネル１１に画像が表示されないように制御する（ミュートをかける）。
【０１０４】
このようにして、薄型ディスプレイ１は、LCDパネル１１に画像が表示されるまでの間、OSD画像により、画像が表示されるまでの残り時間を表示させるので、ユーザは、その残り時間を確認することで、画像があとどれくらいで表示されるかを認識することができる。
【０１０５】
次に、図７のフローチャートを参照して、薄型ディスプレイ１によるカウントダウン表示制御の処理について説明する。
【０１０６】
ステップＳ１１において、マイコン６５は、OSD生成部６８に問い合わせることで、OSD情報を生成できるか（OSD生成部６８が起動したか）否かを判定する。
【０１０７】
ステップＳ１１において、OSD情報を生成できないと判定された場合、ステップＳ１１の処理に戻り、上述した処理を繰り返す。すなわち、マイコン６５は、OSD生成部６８がOSD情報を生成できるようになるまで待機している。
【０１０８】
一方、ステップＳ１１において、OSD情報を生成できると判定された場合、ステップＳ１２に進み、起動時間決定部１１１は、ROM６６に記憶されている処理モードに対応した起動時間を読み出して、読み出した起動時間をカウンタ１１２にセットする。起動時間決定部１１１は、カウンタ１１２にセットされた起動時間をOSD生成部６８に供給する。
【０１０９】
すなわち、起動時間は、カウンタ１１２にセットされる値の初期値となる。
【０１１０】
例えば、ステップＳ１２において、起動時間決定部１１１は、マイコン６５が制御している入力切り替え部６２およびスイッチ８２に関する情報を基に、現在の処理モードが、チューナ信号モードである処理モードであると判定し、ROM６６に記憶されている起動時間から、チューナ信号モードに対応した“１０秒”である起動時間を読み出し、読み出した“１０秒”である起動時間をカウンタ１１２にセットする。起動時間決定部１１１は、“１０秒”であるカウンタ１１２にセットされた値をOSD生成部６８に供給する。
【０１１１】
ステップＳ１３において、OSD生成部６８は、起動時間決定部１１１から供給されたカウンタ１１２にセットされた値を基に、OSD情報を生成する。OSD生成部６８は、生成したOSD情報を補助回路９２に供給する。例えば、ステップＳ１３において、OSD生成部６８は、起動時間決定部１１１から供給された“１０秒”であるカウンタ１１２にセットされた値を基に、“１０”であるOSD情報を生成し、生成したOSD情報を補助回路９２に供給する。
【０１１２】
ステップＳ１４において、表示切り替え制御部１１３は、出力部９３を制御して、補助回路９２から供給されてくるOSD情報に応じた映像信号を基に、OSD画像をLCDパネル１１に表示させる。例えば、ステップＳ１４において、表示切り替え制御部１１３は、出力部９３を制御して、補助回路９２から供給されてくる“１０”であるOSD情報に応じた映像信号を基に、“１０”であるOSD画像をLCDパネル１１に表示させる。
【０１１３】
図８は、OSD画像を表示するLCDパネル１１の例である。図１に示す場合と同様の部分には、同一の符号が付してあり、その説明は適宜省略する。
【０１１４】
LCDパネル１１の右下には、画像がLCDパネル１１に表示されるまでに、あと１０秒かかることを示している“１０”であるOSD画像１２１が表示されている。
【０１１５】
このように、LCDパネル１１に、OSD画像１２１が表示されるので、ユーザは、OSD画像１２１に表示された時刻を経過した後に、画像が表示されることを認識できるとともに、薄型ディスプレイ１が故障しておらず、正常に動作していると認識することができる。
【０１１６】
図７のフローチャートに戻り、ステップＳ１５において、カウンタ１１２は、前回の自分に値がセットされた時刻から、時間が１秒経過したか否かを判定する。
【０１１７】
ステップＳ１５において、時間が１秒経過していないと判定された場合、ステップＳ１５に戻り、上述した処理を繰り返す。すなわち、カウンタ１１２は、前回の自分に値がセットされた時刻から、時間が１秒経過するまで待機している。
【０１１８】
一方、ステップＳ１５において、時間が１秒経過したと判定された場合、ステップＳ１６に進み、カウンタ１１２は、自分にセットされている値から１を減ずる。例えば、ステップＳ１６において、カウンタ１１２は、自分にセットされている“１０”である値から１を減じて、“９”である値をセットする。
【０１１９】
ステップＳ１７において、マイコン６５は、カウンタ１１２にセットされている値が、“０”であるか否かを判定する。
【０１２０】
ステップＳ１７において、値が、“０”でないと判定された場合、ステップＳ１３の処理に戻り、上述した処理を繰り返す。すなわち、例えば、ステップＳ１３乃至ステップＳ１７の処理を繰り返すことにより、カウンタ１１２にセットされた値が、９、８、７、・・・のように１秒ごとに減少するにともなって、LCDパネル１１に表示されるOSD画像（例えば、OSD画像１２１）も、９、８、７、・・・のように１秒ごとに減少する。
【０１２１】
ステップＳ１３乃至ステップＳ１７の処理を繰り返すことにより、カウンタ１１２にセットされた値が“０”となり、ステップＳ１７において、マイコン６５は、カウンタ１１２にセットされている値が、“０”であるので、ステップＳ１８に進み、OSD生成部６８は、起動時間決定部１１１から供給された“０”であるカウンタ１１２にセットされた値を基に、“０”であるOSD情報を生成し、生成したOSD情報を補助回路９２に供給する。
【０１２２】
ステップＳ１９において、表示切り替え制御部１１３は、出力部９３を制御して、補助回路９２から供給されてくる“０”であるOSD情報に応じた映像信号を基に、“０”であるOSD画像をLCDパネル１１に表示させる。
【０１２３】
図９は、OSD画像を表示するLCDパネル１１の例である。図１に示す場合と同様の部分には、同一の符号が付してあり、その説明は適宜省略する。
【０１２４】
LCDパネル１１の右下には、画像がLCDパネル１１に表示されるまでに、あと０秒かかることを示している、すなわち、画像がLCDパネル１１に間もなく表示されることを示している“０”であるOSD画像１３１が表示されている。
【０１２５】
図７のフローチャートに戻り、ステップＳ２０において、マイコン６５は、メインプロセッサ９１からフラグが供給されてきたか否かを判定する。例えば、メインプロセッサ９１は、映像信号を出力部９３に供給することができることを示す信号として、“１”である信号をマイコン６５に供給する。
【０１２６】
ステップＳ２０において、メインプロセッサ９１からフラグが供給されてこないと判定された場合、ステップＳ２０の処理に戻り、上述した処理を繰り返す。すなわち、マイコン６５は、メインプロセッサ９１からフラグが供給されるまで待機している。この場合、LCDパネル１１には、“０”であるOSD画像が表示されたまま待機することとなる（例えば、図９の“０”であるOSD画像１３１）。
【０１２７】
ステップＳ２０において、メインプロセッサ９１からフラグが供給されてきたと判定された場合、ステップＳ２１に進み、映像出力制御部１１４は、ノイズの発生を防ぐために、メインプロセッサ９１から映像信号が出力されないように制御する（ミュートをかける）。
【０１２８】
ステップＳ２２において、表示切り替え制御部１１３は、出力部９３を制御して、LCDパネル１１に表示される画像を、補助回路９２から供給されてくるOSD情報に応じた映像信号によるOSD画像から、メインプロセッサ９１から供給されてくる映像信号による画像が表示されるように切り替えさせる。
【０１２９】
例えば、ステップＳ２２において、表示切り替え制御部１１３は、チューナ信号モードである処理モードの場合、出力部９３を制御して、LCDパネル１１に表示される画像を、補助回路９２から供給されてくるOSD情報に応じた映像信号による“０”であるOSD画像から、メインプロセッサ９１から供給されてくる、アンテナ５１により受信された地上波や放送衛星からの電波などのテレビジョン放送の放送電波に対応する放送信号であって、アンテナ５１から供給された放送信号に対して所定の処理を適用することで得られた映像信号による画像が表示されるように切り替えさせる。
【０１３０】
なお、ステップＳ２１の処理で、映像出力制御部１１４が、メインプロセッサ９１から映像信号が出力されないように制御しているので、ステップＳ２２の処理においては、出力部９３がLCDパネル１１に表示させる画像の出力元を切り替える（補助回路９２からメインプロセッサ９１に切り替える）のみで、LCDパネル１１に画像は表示されていないことになる。
【０１３１】
ステップＳ２３において、映像出力制御部１１４は、ミュートを解除して、メインプロセッサ９１から映像信号が出力されるように制御して（すなわち、LCDパネル１１に画像が表示されるように制御して）、処理は終了する。
【０１３２】
すなわち、メインプロセッサ９１から供給される映像信号が、画像としてLCDパネル１１に表示されるので、ユーザは、薄型ディスプレイ１に表示された画像を認識できるようになる。
【０１３３】
このように、画像が画面に表示されるまでの残り時間をOSD画像により、LCDパネル１１に表示させることができる。その結果、ユーザは、画像が表示されるまでの残り時間を認識することができるので、画像が表示されるまでの待機時間を長く感じることがなくなるとともに、薄型ディスプレイ１が正常に動作していることも認識できるので、故障している場合でも、瞬時に認識して対応することができる。
【０１３４】
なお、上述した例においては、補助回路９２がLCDパネル１１に表示させる画像は、OSD画像であるとして説明したが、本発明において、補助回路９２がLCDパネル１１に表示させる画像は、OSD画像に限らず、例えば、画像が表示されるまで時間がかかることを示す画像（文字）など、ユーザに対して、画像が表示されるまでに一定の時間がかかることを認識させることができるものであればよい。
【０１３５】
また、上述した例においては、薄型ディスプレイ１として、LCDを一例として説明したが、本発明はそれに限らず、例えば、PDP、有機EL（Electro Luminescence）ディスプレイなどに適用するようにしてもよい。さらに、上述した例においては、薄型ディスプレイ１について説明したが、本発明はそれに限らず、例えば、セットトップボックスやDVDレコーダなど、デジタル処理を行っている機器に適用するようにしてもよい。
【０１３６】
また、本発明の画像が画面に表示されるまでの残り時間をOSD画像で表示させる機能であるが、例えば、機器のメニューなどの操作により、残り時間を表示させないように選択することも可能である。
【０１３７】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１３８】
図１０は、上述した一連の処理をプログラムにより実行するパーソナルコンピュータの構成の例を示すブロック図である。CPU（Central Processing Unit）１５１は、ROM１５２、または記録部１５８に記録されているプログラムに従って各種の処理を実行する。RAM１５３には、CPU１５１が実行するプログラムやデータなどが適宜記憶される。これらのCPU１５１、ROM１５２、およびRAM１５３は、バス１５４により相互に接続されている。
【０１３９】
CPU１５１にはまた、バス１５４を介して入出力インタフェース１５５が接続されている。入出力インタフェース１５５には、キーボード、マウス、マイクロホンなどよりなる入力部１５６、ディスプレイ、スピーカなどよりなる出力部１５７が接続されている。CPU１５１は、入力部１５６から入力される指令に対応して各種の処理を実行する。そして、CPU１５１は、処理の結果得られた画像等を出力部１５７に出力する。
【０１４０】
入出力インタフェース１５５に接続されている記録部１５８は、例えばハードディスクなどで構成され、CPU１５１が実行するプログラムや各種のデータを記録する。通信部１５９は、インターネット、その他のネットワークを介して外部の装置と通信する。この例の場合、通信部１５９は、入力画像を取得するか、または出力画像を出力する、外部とのインタフェースとして動作する。
【０１４１】
また、通信部１５９を介してプログラムを取得し、記録部１５８に記録してもよい。
【０１４２】
入出力インタフェース１５５に接続されているドライブ１７０は、磁気ディスク１８１、光ディスク１８２、光磁気ディスク１８３、または半導体メモリ１８４などが装着されたとき、それらを駆動し、そこに記録されているプログラムやデータなどを取得する。取得されたプログラムやデータは、必要に応じて記録部１５８に転送され、記録される。
【０１４３】
一連の処理をさせるプログラムが格納されている記録媒体は、図１０に示すように、コンピュータとは別に、ユーザにプログラムを提供するために配布される、プログラムが記録されている磁気ディスク１８１（フレキシブルディスクを含む）、光ディスク１８２（CD-ROM(Compact Disc-Read Only Memory)、DVD(Digital Versatile Disc)を含む）、光磁気ディスク１８３（MD(Mini-Disc)（商標）を含む）、若しくは半導体メモリ１８４などよりなるパッケージメディアにより構成されるだけでなく、コンピュータに予め組み込まれた状態でユーザに提供される、プログラムが記録されているROM１５２や、記録部１５８に含まれるハードディスクなどで構成される。
【０１４４】
なお、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０１４５】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１４６】
【図１】薄型ディスプレイの外観を示す図である。
【図２】本発明を適用した薄型ディスプレイの一実施の形態を示すブロック図である。
【図３】ビデオプロセッサの詳細を説明するブロック図である。
【図４】マイコンにおいて実行される制御プログラムの構成を示すブロック図である。
【図５】薄型ディスプレイによる表示制御の処理について説明するフローチャートである。
【図６】薄型ディスプレイの動作を説明するタイミングチャートである。
【図７】薄型ディスプレイによるカウントダウン表示制御の処理について説明するフローチャートである。
【図８】OSD画像を表示するLCDパネルの例である。
【図９】OSD画像を表示するLCDパネルの例である。
【図１０】パーソナルコンピュータの構成を説明するブロック図である。
【符号の説明】
【０１４７】
１  薄型ディスプレイ，  １１  LCDパネル，  ６４  画像処理部，  ６５  マイコン，  ６８  OSD生成部，  ８１  A/D変換部，  ８２  スイッチ，  ８３  ビデオプロセッサ，  ９１  メインプロセッサ，  ９２  補助回路，  ９３  出力部，  １０１  制御プログラム，  １１１  起動時間決定部，  １１２  カウンタ，  １１３  表示切り替え制御部，  １１４  映像出力制御部，  １８１  磁気ディスク，  １８２  光ディスク，  １８３  光磁気ディスク，  １８４  半導体メモリ
【図１】
2006186705.tif 000003
【図２】
2006186705.tif 000004
【図３】
2006186705.tif 000005
【図４】
2006186705.tif 000006
【図５】
2006186705.tif 000007
【図６】
2006186705.tif 000008
【図７】
2006186705.tif 000009
【図８】
2006186705.tif 000010
【図９】
2006186705.tif 000011
【図１０】
2006186705.tif 000012